(57)【特許請求の範囲】
【請求項１】
複数の銃を並列に固定するようにした銃固定装置において、
複数の銃床を各々嵌め込むためのものであって、前記銃床の形状に合わせた凹みよりなる複数の銃床受部と、
複数の円筒形状の銃身を各々嵌め込むために前記各銃床受部に対応して設けられ、前記銃身の曲率に対応する内径を有する開口を含む複数の銃身受部と、
前記各銃身受部の開口を開閉するために前記各銃身受部に各々設けられ、前記開口と共に前記銃身の全周を把持する板状の開閉部材と、
前記各開閉部材に連結された連結部材と、
前記連結部材を作動させるために操作される操作レバーと、
前記操作レバーの操作により前記連結部材を作動させて前記各開閉部材を連動させることにより前記各銃身受部を一斉に開閉させ、前記銃身を前記銃身受部と前記開閉部材の縁部とで前記銃身の全周を把持するようにしたことと、
前記各銃身受部の開口を前記各開閉部材により閉鎖した状態で前記操作レバーを操作不能に閉止するために使用される閉止用手段と
を備えたことを特徴とする銃固定装置。
【請求項２】
前記連結部材と前記開閉部材とがリンク構造又はラック・ピニオン構造により連結していることを特徴とする請求項１に記載の銃固定装置。
【請求項３】
前記閉止用手段による閉止状態を施錠により固定するための施錠手段を備えたことを特徴とする請求項１又は請求項２に記載の銃固定装置。
【請求項４】
前記開閉部材及び前記連結部材が連結開閉部材として一体成形されたものであることを特徴とする請求項１又は請求項３に記載の銃固定装置。
【請求項５】
請求項１乃至請求項４の何れか一つに記載の銃固定装置を備える銃架台。
【請求項６】
複数の銃を収容するためのロッカーと、
前記銃固定装置が前記ロッカーの中に設けられることと、
前記ロッカーに設けられた車輪と
を備えたことを特徴とする請求項５に記載の銃架台。
【発明の詳細な説明】
【０００１】
【発明の属する技術分野】
この発明は、主として複数の銃を、付属的には複数の銃剣を併せて保管するのに使用される銃固定装置及び銃架台に関する。
【０００２】
【従来の技術】
従来、演習等で使用される複数の小銃は、例えば、保管室の中に備え付けられた架台に立て掛けられて施錠され、保管されている。
ここで、小銃用の架台は、保管室の中に予め備え付けられており、複数の小銃を並列に配置して固定することのできる銃固定装置を備えたものがある。この銃固定装置では、架台に設けられた複数の銃床受具に個々の小銃の銃床を嵌め込むと共に、同架台のブラケットに設けられた複数の凹部に各小銃の銃身の一部を嵌め込む。そして、ブラケットに複数組設けられた孔のそれぞれに長尺な押さえ棒を合計で複数本挿通して各凹部を閉鎖すると共に、それらの棒の移動を規制して複数個の南京錠で施錠して固定することにより、複数の小銃を架台に固定するようにしている。
【０００３】
【発明が解決しようとする課題】
ところが、前記従来の銃固定装置では、複数の小銃を固定するために長尺な押さえ棒をブラケットの孔に挿通しなければならず、使用者には押さえ棒を取り扱うための大きなアクションが強いられることになり、架台の周囲には押さえ棒を取り扱うためのスペースを確保しなければならなかった。このため、狭い保管室では、使用者が押さえ棒を取り扱うことが難しく、架台に隣接して他の装備を置くこともできなかった。又、保管室がある程度広くても、一つの架台毎に押さえ棒を装着しなければならないことから、複数の架台を直列に並べた場合に、押さえ棒が装着できなくなるので、複数の架台を直列に並べて使用することができなかった。このため、保管室に複数の架台を設置しようとしても、架台の配列が制限を受けることになり、配列の自由度が低くなっていた。更には、架台から取り外された押さえ棒を紛失するおそれもあった。
【０００４】
この発明は上記事情に鑑みてなされたものであって、その目的は、周囲のスペースの大きさに拘わらず、複数の銃をワンタッチの操作で一斉に固定することを可能にした銃固定装置及び銃架台を提供することにある。
【０００５】
【課題を解決するための手段】
上記目的を達成するために、請求項１に記載の発明の銃固定装置は、複数の銃を並列に固定するようにした銃固定装置において、複数の銃床を各々嵌め込むための複数の銃床受部と、複数の銃身を各々嵌め込むために各銃床受部に対応して設けられた開口を含む複数の銃身受部と、各銃身受部の開口を開閉するために各銃身受部に各々設けられた開閉部材と、各開閉部材に連結された連結部材と、連結部材を作動させるために操作される操作部材と、操作部材の操作により連結部材を作動させて各開閉部材を連動させることにより各銃身受部を一斉に開閉させるようにしたことと、各銃身受部の開口を各開閉部材により閉鎖した状態で操作部材を操作不能に閉止するために使用される閉止用手段とを備えたことを趣旨とする。
【０００６】
上記発明の構成によれば、複数の銃を固定するには、各銃の銃床を各銃床受部に嵌め込み、その銃身を対応する銃身受部に嵌め込む。そして、操作部材を手元で操作して連結部材を作動させ、各開閉部材を連動させて各銃身受部を一斉に閉鎖させる。又、その閉鎖状態で閉止用手段を使用して操作部材を操作不能に閉止する。これにより、各銃床受部と各銃身受部との協働により複数の銃が並列に固定される。一方、閉止用手段による操作部材の閉止を解除し、操作部材を手元で操作して連結部材を作動させ、各開閉部材を連動させて各銃身受部を一斉に開放させる。そして、各銃身受部から銃身を抜き出すと共に、各銃床受部から銃床を抜き出すことにより、各銃が取り外される。
【０００７】
上記目的を達成するために、請求項２に記載の発明の銃固定装置は、請求項１に記載の発明において、閉止用手段による閉止状態を施錠により固定するための施錠手段を備えたことを趣旨とする。
【０００８】
上記発明の構成によれば、請求項１に記載の発明の作用に加え、施錠手段により閉止用手段による閉止状態を施錠することにより、閉止用手段による閉止状態の解除を不特定の者が行えなくなる。
【０００９】
上記目的を達成するために、請求項３に記載の発明の銃固定装置は、請求項１又は請求項２に記載の発明において、開閉部材及び連結部材が連結開閉部材として一体成形されたものであることを趣旨とする。
【００１０】
上記発明の構成によれば、請求項１又は請求項２に記載の発明の作用に加え、銃固定装置の部品点数が少なくなる。
【００１１】
上記目的を達成するために、請求項４に記載の発明の銃架台は、請求項１乃至請求項３の何れか一つに記載の銃固定装置を備えたことを趣旨とする。
【００１２】
上記発明の構成によれば、請求項１乃至請求項３の何れか一つに記載の銃固定装置の作用が銃架台で得られ、並列に固定され複数の銃が銃架台で保管されるようになる。
【００１３】
上記目的を達成するために、請求項５に記載の発明の銃架台は、請求項４に記載の発明において、複数の銃を収容するためのロッカーと、銃固定装置がロッカーの中に設けられることと、ロッカーに設けられた車輪とを備えたことを趣旨とする。
【００１４】
上記発明の構成によれば、請求項４に記載の発明の作用に加え、複数の銃がロッカーに収容され、並列に配置された状態で銃固定装置により固定されることにより、それらの銃がそのまま保管される。一方、車輪を地面に着けてロッカーを押したり引いたりすることにより、ロッカーが車輪により走行し、銃がロッカーに保管されたまま運ばれる。
【００１５】
【発明の実施の形態】
［第１の実施の形態］
以下、本発明の銃固定装置及び銃架台を具体化した第１の実施の形態を図面を参照して詳細に説明する。
【００１６】
図１に銃架台の平面図を、図２に図１の側面図を、図３に図１の正面図をそれぞれ示す。銃架台１は、ロッカー２と、ロッカー２に設けられた車輪としての左右一対のキャスター３と、同じくロッカー２に設けられてストッパ４を付けた左右一対の自在キャスター５と、ロッカー２のキャスター３，５による走行を操作すること等に使用される複数のハンドル６，７とを備える。
【００１７】
ロッカー２は、金属製ボックスよりなり、その上面に位置する開口８には観音開き式の扉９が設けられる。扉９には、錠１０が設けられる。
【００１８】
左右一対のキャスター３は、ロッカー２の後面２ａの近くに設けられた車軸１１に回転可能に取り付けられる。このキャスター３は、ロッカー２の底面２ｂの側へのみ張り出し、後面２ａの側には張り出さないように取り付けられる。左右一対の自在キャスター５は、ロッカー２の前面２ｃ側に取り付けられた一対のブラケット１２に対して方向可変に取り付けられる。この自在キャスター５は、キャスター３との協働によりロッカー２を水平に支持するために、その底面２ｂの側への張り出しがキャスター３のそれと同じになるように設定される。
【００１９】
棒状のハンドル６は、その両端が上記両ブラケット１２に固定される。「コ」の字形の四つのハンドル７は、それぞれロッカー２の側面２ｄの両端に固定される。これら四つのハンドル７は、ロッカー２を持ち上げるときにも使われる。
【００２０】
図４，５にロッカー２の内部を破線等で示す。ロッカー２は、主として複数の小銃１３を収容すると共に、付属的に複数の銃剣１６を収容するものである。ロッカー２の中には、複数の小銃１３を並列に配置して固定するための銃固定装置が設けられる。銃固定装置は、複数の小銃１３の銃床１３ａを各々嵌め込むために設けられた複数の銃床受具１４と、複数の小銃１３の銃身１３ｂをそれぞれ固定するための銃身固定器１５とを含む。銃身固定器１５は、複数の銃剣１６を並列に配置して固定するための銃剣固定手段を兼ね備える。即ち、銃身固定器１５は、小銃１３と併せて銃剣１６も固定できるようになっている。銃身固定器１５は、各小銃１３及び各銃剣１６の一部に係合してそれらを固定するものである。ロッカー２は、複数の小銃１３及び複数の銃剣１６を内部に収容して固定した状態で、図４に示すように小銃１３及び銃剣１６を立てる起立状態と、図５に示すように小銃１３及び銃剣１６を倒す倒伏状態に配置可能になっている。これは、ロッカー２がボックス形状をなすことと、キャスター３がロッカー２の底面２ｂの側へだけ張り出すように取り付けられることとによるものである。そして、各キャスター３，５は、ロッカー２が起立状態に配置されたときに地面から離れ、ロッカー２が倒伏状態に配置されたときに地面に接するようになっている。
【００２１】
ここで、銃固定装置の構造を詳しく説明する。
図６にロッカー２における複数の銃床受具１４の取付状態を斜視図に示す。図７に図６のＡ部断面図を示す。図８に銃床受具１４の平面図を示す。
この実施の形態の各銃床受具１４は、合成樹脂によりブロック状に成形される。各銃床受具１４は、ロッカー２の内壁に設けられた支持台３１の上に並列に配置され、ボルト３２により取り外し可能に固定される。各銃床受具１４は、銃床１３ａの形状に合わせて成形された凹みよりなる二つの銃床受部１４ａを含む。ボルト３２は、この銃床受部１４ａの中で支持台３１に締め付けられる。図６に示すように、複数の銃床受具１４を並列に配置して固定することにより、複数の銃床受部１４ａが等間隔で並列に配置される。銃床受具１４が合成樹脂で成形されることから、各銃床受部１４ａに嵌め込まれる銃床１３ａを傷付けることがない。又、各銃床受具１４が取り外し可能に設けられることから、同受具１４のメンテナンスを容易なものにすることができる。
【００２２】
図９に銃身固定器１５の平面図を示し、図１０に銃身固定器１５の側面図を拡大して示す。図９は、便宜上、左側に閉鎖状態を、右側に開放状態をそれぞれ示す。図１１に図９のＢ−Ｂ線断面図を、図１２に図９のＣ−Ｃ線断面図をそれぞれ示す。
この実施の形態の銃身固定器１５は、スライド構造によるものであり、ロッカー２の内壁に固定される一対のブラケット４１と、両ブラケット４１の間に掛け渡されて固定され、所定の隙間隔てて対向配置された上下一対の支持板４２Ａ，４２Ｂと、両支持板４２Ａ，４２Ｂの間でスライド可能に設けられた板状の連結開閉部材４３と、連結開閉部材４３をスライドさせるために操作される操作部材としてのレバー４４とを備える。
【００２３】
両支持板４２Ａ，４２Ｂは、複数の銃身受部４５と、複数の銃剣受孔４６とを備える。各銃身受部４５は、複数の銃身１３ｂを各々嵌め込むために各銃床受部１４ａに対応して設けられ、開口４５ａを含む凹状をなす。各銃剣受孔４６は、各銃身受部４５に対応して設けられ、銃剣１６の刃１６ａを挿通するためのものである。図９，１０に示すように、各銃剣受孔４６に銃剣１６の刃１６ａを挿通した状態で、上側の支持板４２Ａ上には、銃剣１６の鍔１６ｂが係合する。
【００２４】
連結開閉部材４３は、そのスライド方向に延びる複数の長孔４７を有する。これら長孔４７には、両支持板４２Ａ，４２Ｂに固定されたリベット４８が挿通される。これら長孔４７とボルト４８の協働により、連結開閉部材４３のスライドが案内される。連結開閉部材４３は、各銃身受部４５の各々に対応して設けられた複数の凹部４９ａと、各凹部４９ａ毎に設けられた鉤状をなす複数の開閉部４９ｂと、各銃剣受孔４６の各々に対応して設けられた逃がし孔５０と、各逃がし孔５０に対応して設けられた複数の鍔止部５１とを備える。
【００２５】
各凹部４９ａ及び各開閉部４９ｂは、各銃身受部４５の開口４５ａを開閉するために連結開閉部材４３に一体形成されたものである。各逃がし孔５０は、銃剣受孔４６に銃剣１６の刃１６ａが挿通された状態で連結開閉部材４３のスライドを許容するために、両者１６ａ，４３の干渉を避けるためのものである。
【００２６】
各鍔止部５１は、上側の支持板４２Ａの上方に庇状に位置する。各鍔止部５１は、各銃身受部４５が各開閉部４９ｂにより閉鎖されたときに、図１１に示すように、各銃剣受孔４６に整合する位置に配置され、銃剣１６の鍔１６ｂに重なるようになっている。即ち、図１１に示すように、上側の支持板４２Ａと鍔止部５１との間に鍔１６ｂが挟まれ、これにより銃剣１６が抜け止めされる。一方、各鍔止部５１は、各銃身受部４５が開放されたときに、図１２に示すように、各銃剣受孔４６に整合しない位置に配置され、鍔１６ｂに重ならないようになっている。即ち、図１２に示すように、支持板４２Ａの上方が開放され、これにより銃剣受孔４６からの銃剣１６の引き抜きが許容される。
【００２７】
レバー４４は、両支持板４２Ａ，４２Ｂの一端部に支軸５２を中心に回動可能に取り付けられる。レバー４４の先端部には長孔４４ａが設けられる。レバー４４の先端部は、その長孔４４ａと連結開閉部材４３の一つの丸孔とに挿通された連結ピン５３により連結開閉部材４３に連結される。そして、図９に実線で示す位置にレバー４４が操作されることにより、各開閉部４９ｂが各銃身受部４５を閉鎖する位置に配置され、各鍔止部５１が鍔１６ｂに重なる位置に配置される。一方、図９に２点鎖線で示す位置にレバー４４が操作されることにより、各開閉部４９ｂが各銃身受部４５を開放する位置に配置され、各鍔止部５１が鍔１６ｂに重ならない位置に配置される。このように、レバー４４の操作により連結開閉部材４３をスライドさせて各開閉部４９ｂ及び各鍔止部５１を連動させることにより、各銃身受部４５を一斉に開閉させると共に各鍔止部５１を一斉に移動させるようになっている。
【００２８】
この実施の形態の銃身固定器１５には、上下の支持板４２Ａ，４２Ｂを貫通する錠孔５４がレバー４４に隣接して設けられる。この錠孔５４は、各銃身受部４５を各開閉部４９ｂにより閉鎖した状態でレバー４４を操作不能に閉止するために使用される閉止用手段に相当する。この錠孔５４に止めピンや錠前を差し込むことにより、レバー４４の操作が規制される。この実施の形態の銃身固定器１５は、錠孔５４による閉止状態を施錠により固定するための施錠手段として、南京錠５５を備える。この南京錠５５の腕金５５ａを錠孔５４に挿通して施錠するようになっている。
【００２９】
図１，２，４，５に示すように、ロッカー２の両側面２ｄには、それぞれ棒状のスタンド１７が設けられる。これら一対のスタンド１７は、図１３に示すように、ロッカー２が起立状態に配置されたときに、ロッカー２を起立状態から斜めに傾けて支持するためのものである。
【００３０】
一対のスタンド１７は、図１，２，４，５に示すように、ロッカー２から張り出さない畳み位置と、図１３に示すように、ロッカー２を斜めに支持するためにロッカー２の底面２ｂの側へ張り出した使用位置との間で切替配置可能に設けられる。一対のスタンド１７及びロッカー２の両側面２ｄには、畳み位置と使用位置とでスタンド１７をロックするためのスタンドロック手段が設けられる。この実施の形態では、起立状態に対してロッカー２を「１５°」程度だけ斜めに傾けるようになっている。
【００３１】
図１４，１５，１６に、スタンドロック手段を含むスタンド１７等の構造を示す。即ち、スタンド１７は、ロッカー２の側面２ｄに固定されたボルト付きの支軸１８を中心に回動可能に支持される。図１５に示すように、支軸１８は、ロッカー２に設けられた軸受１９に固定される。スタンド１７は、ワッシャー２０と共に支軸１８に装着され、ナット２１により抜け止めされる。図１４，１５に示すように、スタンド１７の基端には、係止器２１が設けられる。この係止器２１は、枠２３に対して出没可能に設けられた係止片２４を含む。係止片２４は、スタンド１７の基端から突出する方向へばね（図示略）で常に付勢される。係止片２４に設けられた操作突起２５は、係止片２４を枠２３に対してスライドさせるために操作されるものである。図１４に示すように、ロッカー２の各側面２ｄには、上記畳み位置と使用位置とに対応して断面Ｌ字形の受止具２６Ａ，２６Ｂがそれぞれ固定される。図１６に示すように、各受止具２６Ａ，２６Ｂは、係止片２４に対応する孔２６ａを有する。これら係止器２２及び各受止具２６Ａ，２６Ｂによりスタンドロック手段が構成される。そして、図１４に実線で示すように、スタンド１７が畳み位置に配置された状態では、係止器２２の係止片２４が一方の受止具２６Ａの孔２６ａに係止され、同位置でスタンド１７がロックされる。一方、図１４に２点鎖線で示すように、スタンド１７が使用位置に配置された状態では、係止器２２の係止片２４が他方の受止具２６Ｂの孔２６ａに係止され、同位置でスタンド１７がロックされる。
【００３２】
図１，３に示すように、ロッカー２の前面２ｃには、ロッカー２を別の銃架台のロッカーと連結するための連結手段が設けられる。この連結手段は、連結バー２７と、連結バー２７の両端を締め付ける一対の蝶ナット２８とを含む。そして、二つの蝶ナット２８のうち一方を緩め又は外して、連結バー２７の一端を別のロッカー２に対して蝶ナット２８で締め付けることにより、図１７に示すように、起立状態に配置されたロッカー２を別のロッカー２と連結するようになっている。
【００３３】
以上説明した本実施の形態の銃固定装置の構成によれば、複数の小銃１３を固定するには、各小銃１３の銃床１３ａを各銃床受部１４ａに嵌め込み、その銃身１３ｂの一部を銃身固定器１５の対応する銃身受部４５に嵌め込む。そして、レバー４４を手元で操作して連結開閉部材４３をスライドさせ、各開閉部４９ａを連動させて各銃身受部４５の開口４５ａを一斉に閉鎖させる。又、その閉鎖状態で錠孔５４に南京錠５５の腕金５５ａを通して施錠してレバー４４を操作不能に閉止する。これにより、各銃床受部１４ａと各銃身受部４５との協働により複数の小銃１３が並列に固定される。又、予め、各銃剣受孔４６に銃剣１６の刃１６ａを差し込んでおくことにより、それらの鍔１６ｂが鍔止部５１により抜け止めされ、複数の小銃１３と共に複数の銃剣１６が同様に固定される。
【００３４】
一方、複数の小銃１３を取り外すには、錠孔５４から南京錠５５を外してレバー４４の閉止を解除し、レバー４４を手元で操作して連結開閉部材４３をスライドさせ、各開閉部４９ｂを連動させて各銃身受部４５の開口４５ａを一斉に開放させる。そして、各銃身受部４５から銃身１３ｂを抜き出すと共に、各銃床受部１４ａから銃床１３ａを抜き出すことにより、各小銃１３が銃固定装置から取り外される。このとき、各銃剣１６の鍔止部５１による抜け止めも解除されるので、各小銃１３と共に各銃剣１６を同様に取り外すことができる。
【００３５】
このように本実施の形態の銃固定装置によれば、周囲のスペースの大きさに拘わらず、複数の小銃１３及び銃剣１６を、レバー４４を手元で動かすだけのワンタッチの操作で一斉に固定することができる。このことから、従来の銃固定装置とは異なり、狭い保管室でも使用者が容易に操作することができ、銃架台１に隣接して他の装備を置くこともできるようになる。又、保管室が広い場合には、複数の銃架台１を互いに隣接させて配置しても各架台１のレバー４４を操作できるので、複数の銃架台１を直列や並列に配置して使用することもできるようになる。このため、複数の銃架台１を保管室の中で自由に配列することができるようになる。又、この実施の形態の銃固定装置では、従来の銃架台とは異なり、押さえ棒のような構成部品の一部が取り外されることがなく、それらを紛失するようなことがない。
【００３６】
この実施の形態の銃固定装置によれば、銃身固定器１５の各銃身受部４５を開閉部４９ｂにより閉鎖した状態で、錠孔５４に南京錠５５をかけて施錠することにより、レバー４４が操作不能に閉止され、その閉止状態の解除を不特定の者が自由に行えなくなる。このため、複数の小銃１３及び銃剣１６を一括して安全に管理することができるようになる。しかも、この実施の形態では、１個の南京錠５５を使用するだけで施錠・解錠を行うことができるので、複数個の南京錠を必要とする従来の銃架台に比べて、施錠・解除の操作が容易となり、鍵も一つとなりその管理を容易なものにすることができる。
【００３７】
この実施の形態の銃固定装置によれば、その銃身固定器１５の連結開閉部材４３に複数の開閉部４９ｂ等が一体成形される。これに対して、例えば、開閉部を有する開閉部材を複数設け、それらを連結部材を介してレバーに連結するよう構成することも考えられる。しかし、この実施の形態では、複数の開閉部材と連結部材が一つの連結開閉部材４３として一体成形されたものとなっているので、その分だけ銃身固定器１５の部品点数が減り、銃固定装置の部品点数が少なくなる。このため、銃固定装置の構成を簡素にすることができ、その分だけ同装置の製造を容易なものにすることができる。
【００３８】
この本実施の形態では、上記のような銃固定装置が銃架台１に設けられることから、並列に固定され複数の小銃１３及び銃剣１６がロッカー２に保管される。このため、所定数の小銃１３及び銃剣１６を各銃架台１を単位に管理することができるようになる。
具体的には、複数の小銃１３及び銃剣１６がロッカー２に収容され、並列に配置された状態で銃床受具１４及び銃身固定器１５により固定されることにより、それら小銃１３及び銃剣１６がそのままロッカー２の中に保管される。つまり、小銃１３及び銃剣１６をロッカー２の中に固定することで小銃１３及び銃剣１６の保管が完了することになり、小銃１３及び銃剣１６の保管を容易なものにすることができる。
【００３９】
この実施の形態の銃架台１によれば、図４に示すように、ロッカー２を起立状態に配置することにより、複数の小銃１３及び銃剣１６が並列に立てられることから、ロッカー２に対する小銃１３及び銃剣１６の出し入れや、銃床受具１４及び銃身固定器１５に対する小銃１３及び銃剣１６の取り付け取り外しが容易となる。この結果、複数の小銃１３及び銃剣１６の取り扱いを容易なものにすることができる。
【００４０】
この実施の形態の銃架台１によれば、キャスター３，５を地面に着けてロッカー２を押したり引いたりすることにより、ロッカー２がキャスター３，５により走行し、複数の小銃１３及び銃剣１６がロッカー２に保管されたまま運ばれることになる。このため、小銃１３及び銃剣１６の移し替えを行う必要がなく、小銃１３及び銃剣１６の保管と運搬を容易なものにすることができる。
【００４１】
つまり、この実施の形態の銃架台１によれば、保管室等の常置場所では、銃架台１を本来の架台として使用することができ、小銃１３を運搬するときには、銃架台１をそのまま台車として使用することができる。従って、野外演習等のために複数の小銃１３及び銃剣１６をまとめて運搬する際には、保管室等の中の銃架台１を、キャスター３，５を使用して走行させることにより、その中に保管された小銃１３及び銃剣１６と共に容易に運搬することができる。
一方、銃架台１を演習地等へ運んだ後は、銃架台１をそのまま仮設式の架台として使用することができ、小銃１３及び銃剣１６の保管作業を簡略化することができる。しかも、銃架台１を起立状態に配置すれば、野外演習地においても小銃１３及び銃剣１６の取り扱いを容易なものにすることができる。更に、演習地等で架台を別途仮設する必要がない分だけ作業を簡略化することができるようになる。
【００４２】
この実施の形態の銃架台１によれば、ロッカー２のキャスター３，４による走行を操作するためのハンドル６，７を設けたので、ハンドル６，７を使用することにより、ロッカー２のキャスター３，５による走行の操作が容易となる。このため、小銃１３及び銃剣１６の運搬作業をハンドル６，７の操作による分だけ一層容易なものにすることができる。
【００４３】
この実施の形態の銃架台１によれば、図４に示すように、ロッカー２を起立状態に配置したときにキャスター３，５が地面から離れるので、起立状態のロッカー２が不用意に動くことがない。このため、起立状態では、定位置で安定したロッカー２に対して小銃１３及び銃剣１６を出し入れすることができるので、小銃１３及び銃剣１６の取り扱いを一層容易なものにすることができる。
一方、図５に示すように、ロッカー２を倒伏状態に配置したときにキャスター３，５が地面に接するので、安定した倒伏状態でロッカー２を走行させることが可能になる。このため、ロッカー２を安定走行させることができ、そのことにより運搬作業を一層容易なものにすることができる。
【００４４】
この実施の形態の銃架台１によれば、図１３に示すように、スタンド１７を使用位置にロックして使用することにより、ロッカー２が起立状態から斜めに傾けられて支持されることになる。従って、ロッカー２が斜めに配置された分だけ、ロッカー２に対する小銃１３及び銃剣１６の出し入れや、銃床受具１４及び銃身固定器１５に対する小銃１３及び銃剣１６の取り付け、取り外しの作業が更に容易となる。このため、ロッカー２を起立状態に配置したときよりも、小銃１３及び銃剣１６の取り扱いを一層容易なものにすることができる。
【００４５】
しかも、この実施の形態の銃架台１によれば、スタンド１７を使用しないときには、図１，２，４，５に示すようにスタンド１７が畳み位置で係止器２２及び受止具２６Ａにより固定される。このため、例えば、ロッカー２をキャスター３，５で走行させるときにスタンド１７が張り出して邪魔になることがない。又、スタンド１７を使用するときには、図１３に示すように、スタンド１７が使用位置で係止器２２及び受止具２６Ｂにより固定されるので、ロッカー２が傾けられているときに、スタンド１７が不用意に外れることがない。このため、スタンド１７の不使用時には、スタンド１７が銃架台１の運搬作業を阻害することがなく、スタンド１７の使用時には、スタンド１７を確実に機能させて小銃１３の取り扱いを容易なものにすることができる。
【００４６】
この実施の形態の銃架台１によれば、図１７に示すように、起立状態に配置された一つの銃架台１のロッカー２を、連結バー２７及び蝶ナット２８により別の銃架台１のロッカー２と連結させることにより、起立状態の二つのロッカー２が一体化する。このため、起立状態にある二つのロッカー２をより一層安定的した状態に保つことができ、銃架台１を振動に対して安定させることができる。
【００４７】
［第２の実施の形態］
次に、本発明の銃固定装置及び銃架台を具体化した第２の実施の形態を図面に従って説明する。尚、本実施の形態を含む以下の各実施の形態において、前記第１の実施の形態と同一の構成要素については、同一の番号を付して説明を省略する。従って、以下には、第１の実施の形態と異なる点を中心に説明する。
【００４８】
この実施の形態では、銃架台１に設けられた銃固定装置の銃身固定器をリンク構造とした点で、スライド構造とした前記銃身固定器１５と構成が異なる。
即ち、図１８に銃身固定器６１の平面図を示し、図１９に銃身固定器６１の側面図を拡大して示す。図１８は、便宜上、左側に閉鎖状態を、右側に開放状態をそれぞれ示す。図２０（ａ）〜（ｃ）には、本固定器６１の動作を順次示す。
【００４９】
リンク構造による銃身固定器６１は、ロッカー２の内壁に固定される一対のブラケット６２と、両ブラケット６２の間に掛け渡されて固定され、所定の隙間隔てて対向配置された上下一対の支持板６３Ａ，６３Ｂと、両支持板６３Ａ，６３Ｂの間で回動可能に設けられた板状の複数の開閉部材６４と、各開閉部材６４に連結された棒状の連結部材６５と、連結部材６５をスライドさせるために操作されるレバー４４とを備える。つまり、第１の実施の形態では、機能的に一体化されて成形された連結開閉部材４３が、本実施の形態では、複数の開閉部材６４と一つの連結部材６５として別部品により構成されている。
【００５０】
両支持板６３Ａ，６３Ｂは、複数の銃身受部４５を備える。下側の支持板６３Ｂは、複数の銃剣受孔４６を備える。上側の支持板６３Ａには、各銃剣受孔４６に対応して、複数の凹部６６が形成される。
【００５１】
各開閉部材６４は、各銃身受部４５の各々に対応して設けられた鉤状をなす開閉部６４ａと、上記各凹部６６の各々に対応して設けられた鍔止部６４ｂとを備える。各開閉部材６４は、支軸６７を介して上下の支持板６３Ａ，６３Ｂに回動可能に取り付けられる。
上側の支持板６３Ａは、レバー４４及び各開閉部材６４に対応して設けられた円弧状をなす複数の長孔６８を有する。各開閉部材６４と連結部材６５はそれぞれ連結ピン６９を介して連結される。そして、各連結ピン６９が、対応する各長孔６８に挿通される。これら長孔６８と連結ピン６９の協働により、レバー４４の操作に伴う連結部材６５のスライドが案内される。
【００５２】
そして、図２０（ａ）及び図１８に実線で示す位置にレバー４４が操作されることにより、各開閉部材６４の開閉部６４ａが各銃身受部４５を閉鎖する位置に配置され、各鍔止部６４ｂが鍔１６ｂに重なる位置に配置される。一方、図２０（ｂ）に示す状態を経て図２０（ｃ）及び図１８に２点鎖線で示す位置にレバー４４が操作されることにより、各開閉部材６４が一斉に回動して各開閉部６４ａが各銃身受部４５を開放する位置に配置され、各鍔止部６４ｂが鍔１６ｂに重ならない位置に配置される。このように、レバー４４の操作により連結部材６５を介して各開閉部材６４を回動させて各開閉部６４ａを連動させることにより、各銃身受部４５を一斉に開閉させると共に、各鍔止部６４ｂに対応する各凹部６６を一斉に開放させるようになっている。
【００５３】
各鍔止部６４ｂは、各銃身受部４５が各開閉部６４ａにより閉鎖されたときに、図１８に示すように、各凹部６６に整合する位置に配置され、銃剣１６の鍔１６ｂの一部に重なるようになっている。これにより銃剣１６が抜け止めされる。一方、各鍔止部６４ｂは、各銃身受部４５が開放されたときに、図１８に示すように、各凹部６６に整合しない位置に配置され、鍔１６ｂの一部に重ならないようになっている。これにより銃剣受孔４６からの銃剣１６の引き抜きが許容される。
【００５４】
この実施の形態では、錠孔５４に整合する錠孔４４ｂがレバー４４に設けられる。これら錠孔５４，４４ｂは、各銃身受部４５を各開閉部６４ａにより閉鎖した状態でレバー４４を操作不能に閉止するために使用される閉止用手段に相当する。この実施の形態では、互いに整合した錠孔５４，４４ｂに南京錠５５の腕金５５ａを挿通して施錠するようになっている。
【００５５】
従って、この実施の形態の銃身固定器６１を含む銃固定装置及びそれを備えた銃架台１によっても、前記第１の実施の形態と同様の作用及び効果を得ることができる。
【００５６】
［第３の実施の形態］
次に、本発明の銃固定装置及び銃架台を具体化した第３の実施の形態を図面に従って説明する。
【００５７】
この実施の形態では、銃架台１に設けられた銃固定装置の銃身固定器をラック・ピニオン構造とした点で、リンク構造とした前記銃身固定器６１と構成が異なる。
即ち、図２１に銃身固定器７１の平面図を示し、図２２に銃身固定器７１の側面図を拡大して示す。図２１は、便宜上、左側に閉鎖状態を、右側に開放状態をそれぞれ示す。図２３（ａ）〜（ｃ）には、本固定器７１の動作を順次示す。
【００５８】
ラック・ピニオン構造による銃身固定器７１は、第２の実施の形態において連結ピン６９を介して各開閉部材６４を連結部材６５に連結したことに代え、連結部材６５の一側に設けられたラック７２と、各支軸６７上に設けられたピニオン７３との噛み合いにより各開閉部材６４を連結部材６５に連結している。
【００５９】
そして、図２３（ａ）及び図２１に実線で示す位置にレバー４４が操作されることにより、各開閉部材６４の開閉部６４ａが各銃身受部４５を閉鎖する位置に配置され、各鍔止部６４ｂが鍔１６ｂに重なる位置に配置される。一方、図２３（ｂ）に示す状態を経て図２３（ｃ）及び図２１に２点鎖線で示す位置にレバー４４が操作されることにより、各開閉部材６４が一斉に回動して各開閉部６４ａが各銃身受部４５を開放する位置に配置され、各鍔止部６４ｂが鍔１６ｂに重ならない位置に配置される。このように、レバー４４の操作により連結部材６５を介して各開閉部材６４を回動させて各開閉部６４ａを連動させることにより、各銃身受部４５を一斉に開閉させると共に、各鍔止部６４ｂに対応する各凹部６６を一斉に開放させるようになっている。
【００６０】
従って、この実施の形態の銃身固定器７１を含む銃固定装置及びそれを備えた銃架台１によっても、前記第１の実施の形態と同様の作用及び効果を得ることができる。
【００６１】
尚、この発明は前記各実施の形態に限定されるものではなく、発明の趣旨を逸脱することのない範囲で以下のように実施することもできる。
【００６２】
（１）前記各実施の形態では、キャスター３，５による移動式の銃架台１に銃固定装置を設けたが、車輪を持たない固定式の銃架台に銃固定装置を設けたり、保管室の壁面に銃固定装置を設置したりしてもよい。
【００６３】
（２）前記各実施の形態では、複数の小銃１３と併せて複数の銃剣１６を固定できる構造の銃固定装置としたが、銃剣の固定構造を省略して銃のみを固定する銃固定装置としてもよい。
【００６４】
（３）前記各実施の形態では、施錠手段として南京錠５５を設けたが、南京錠５５以外の錠前や、いわゆる電子キー式、磁気カード式の施錠装置を施錠手段として設けてもよい。
【００６５】
（４）前記各実施の形態では、南京錠５５をセットで備えた銃固定装置としたが、南京錠を持たない銃固定装置としてもよい。
【００６６】
（５）前記各実施の形態の銃架台１において、ハンドル６，７、スタンド１７とスタンドロック手段を構成する係止器２２及び受止具２６Ａ，２６Ｂ、並びに、連結手段を構成する連結バー２７及び蝶ナット２８のうち少なくとも一部を省略して実施することもできる。
【００６７】
【発明の効果】
請求項１に記載の発明の構成によれば、周囲のスペースの大きさに拘わらず、複数の銃をワンタッチの操作で一斉に固定することができる。
【００６８】
請求項２に記載の発明の構成によれば、請求項１に記載の発明の効果に加え、複数の銃を一括して安全に管理することができる。
【００６９】
請求項３に記載の発明の構成によれば、請求項１又は請求項２に記載の発明の効果に加え、銃固定装置の構成を簡素にすることができ、その分だけ同装置の製造を容易なものにすることができる。
【００７０】
請求項４に記載の発明の構成によれば、請求項１乃至請求項３の何れか一つに記載の効果に加え、所定数の銃を各銃架台を単位に管理することができる。
【００７１】
請求項５に記載の発明の構成によれば、請求項４に記載の発明の効果に加え、複数の銃の保管と運搬を容易なものにすることができ。
【図面の簡単な説明】
【図１】第１の実施の形態に係り、銃架台を示す平面図である。
【図２】同じく、銃架台を示す図１の側面図である。
【図３】同じく、銃架台を示す図１の正面図である。
【図４】同じく、ロッカー内部を破線等で示す起立状態の銃架台の側面図である。
【図５】同じく、ロッカー内部を破線等で示す倒伏状態の銃架台の側面図である。
【図６】同じく、銃床受具等を示す斜視図である。
【図７】同じく、図６のＡ部断面図である。
【図８】同じく、銃床受具を示す平面図である。
【図９】同じく、銃身固定器を示す平面図である。
【図１０】同じく、銃身固定器を示す側面図である。
【図１１】同じく、図９のＢ−Ｂ線に沿った断面図である。
【図１２】同じく、図９のＣ−Ｃ線に沿った断面図である。
【図１３】同じく、スタンド使用状態を示す銃架台の側面図である。
【図１４】同じく、スタンド及びスタンドロック手段の構造を示す図である。
【図１５】同じく、スタンド及びスタンドロック手段の構造を示す図である。
【図１６】同じく、スタンドロック手段の構造を示す図である。
【図１７】同じく、連結バー等の使用状態を示す銃架台の側面図である。
【図１８】第２の実施の形態に係り、銃身固定器を示す平面図である。
【図１９】同じく、銃身固定器を示す側面図である。
【図２０】同じく、（ａ）〜（ｃ）は、銃身固定器の動作を順次示す部分平面図である。
【図２１】第３の実施の形態に係り、銃身固定器を示す平面図である。
【図２２】同じく、銃身固定器を示す側面図である。
【図２３】同じく、（ａ）〜（ｃ）は、銃身固定器の動作を順次示す部分平面図である。
【符号の説明】
１      銃架台
２      ロッカー
３      キャスター（車輪）
５      自在キャスター（車輪）
１３    小銃
１４    銃床受具
１４ａ  銃床受部
１５    銃身固定器（１４，１５は銃固定手段）
４３    連結開閉部材
４４    レバー（操作部材）
４４ｂ  錠孔
４５    銃身受部
４５ａ  開口
５４    錠孔（閉止用手段）
５５    南京錠（施錠手段）
６１    銃身固定器
６４    開閉部材
６５    連結部材
７１    銃身固定器
【図１】
0003577272.tif 000002
【図２】
0003577272.tif 000003
【図３】
0003577272.tif 000004
【図４】
0003577272.tif 000005
【図５】
0003577272.tif 000006
【図６】
0003577272.tif 000007
【図７】
0003577272.tif 000008
【図８】
0003577272.tif 000009
【図９】
0003577272.tif 000010
【図１０】
0003577272.tif 000011
【図１１】
0003577272.tif 000012
【図１２】
0003577272.tif 000013
【図１３】
0003577272.tif 000014
【図１４】
0003577272.tif 000015
【図１５】
0003577272.tif 000016
【図１６】
0003577272.tif 000017
【図１７】
0003577272.tif 000018
【図１８】
0003577272.tif 000019
【図１９】
0003577272.tif 000020
【図２０】
0003577272.tif 000021
【図２１】
0003577272.tif 000022
【図２２】
0003577272.tif 000023
【図２３】
0003577272.tif 000024